(57)【特許請求の範囲】
【請求項１】
トナー像を担持する像担持体と、
上記像担持体上のトナー像が表面に転写される中間転写体と、
上記中間転写体の表面に転写材を介して対向する２次転写部材と、
上記中間転写体における上記像担持体との対向部分に、該像担持体上のトナー像を該中間転写体上に１次転写させるための１次転写バイアスを印加する１次転写バイアス印加手段と、
上記中間転写体上のトナー像を上記転写材上に２次転写させるため、上記２次転写部材に、定電流制御された２次転写バイアスを印加する２次転写バイアス印加手段とを有し、
上記２次転写バイアス印加手段により電流が流れることで上記２次転写部材と対向する中間転写体部分の表面電位を変化させるような抵抗値をもつ抵抗部材を介して、該中間転写体部分がグランドに接続されている画像形成装置において、
上記中間転写体上へのトナー像の１次転写を終了した後であって、上記転写材への２次転写を開始する前に、上記１次転写バイアス印加手段のバイアス印加を停止させるバイアス印加停止手段を備え、
上記２次転写バイアス印加手段から２次転写バイアスを出力するための極性の異なる２つの出力端子の一方を、上記中間転写体を介して上記２次転写部材に対向し、上記抵抗部材が接続された２次転写対向部材に接続し、他方を、上記２次転写部材に接続したことを特徴とする画像形成装置。
【請求項２】
トナー像を担持する像担持体と、
上記像担持体上のトナー像が表面に転写される中間転写体と、
上記中間転写体の表面に転写材を介して対向する２次転写部材と、
上記中間転写体における上記像担持体との対向部分に、該像担持体上のトナー像を該中間転写体上に１次転写させるための１次転写バイアスを印加する１次転写バイアス印加手段と、
上記中間転写体上のトナー像を上記転写材上に２次転写させるため、上記２次転写部材に、定電圧制御された２次転写バイアスを印加する２次転写バイアス印加手段とを有し、
上記２次転写バイアス印加手段により電流が流れることで上記２次転写部材と対向する中間転写体部分の表面電位を変動させるような抵抗値をもつ抵抗部材を介して、該中間転写体部分がグランドに接続されている画像形成装置において、
上記中間転写体上へのトナー像の１次転写を終了した後であって、上記転写材への２次転写を開始する前に、上記１次転写バイアス印加手段のバイアス印加を停止させるバイアス印加停止手段を備え、
上記２次転写バイアス印加手段から２次転写バイアスを出力するための極性の異なる２つの出力端子の一方を、上記中間転写体を介して上記２次転写部材に対向し、上記抵抗部材が接続された２次転写対向部材に接続し、他方を、上記２次転写部材に接続した特徴とする画像形成装置。
【請求項３】
請求項１又は２の画像形成装置において、
上記像担持体は、アモルファスシリコン系感光体であることを特徴とする画像形成装置
【発明の詳細な説明】
【０００１】
【発明の属する技術分野】
本発明は、像担持体上のトナー像を一旦中間転写体上に静電的に１次転写し、そのトナー像を更に転写材に静電的に２次転写する画像形成装置に関するものである。
【０００２】
【従来の技術】
電子写真複写機等の画像形成装置においては、感光体等の像担持体上に形成されたトナー像を転写紙等の転写材に転写する方法として、その感光体上のトナー像を一旦転写紙以外の中間転写体上に１次転写させた後、あらためて中間転写体上のトナー像を転写紙上に２次転写させて複写画像を得るという方法が知られている。例えば、カラー電子写真装置の場合には、異なる色成分ごとに感光体上に個別に形成された異なる色のトナー像を、中間転写体上に重ねて１次転写して合成トナー像を得て、その合成トナー像を１枚の転写紙上に２次転写するように構成される。
【０００３】
図４は、従来の中間転写体を用いたプリンタ（画像形成装置）の一例を示す概略構成図である。このプリンタは、キャリア液中にプラス帯電されたトナーを分散した液体現像剤を用いて現像を行うものであり、中間転写ベルト（中間転写体）３１を張架する１次転写ローラ３２及びその両側に配置される２次転写対向ローラ３３及び駆動ローラ３４には、１次転写電源（１次転写バイアス印加手段）３５により、トナーの帯電極性とは逆極性の１次転写バイアスが印加されている。これにより、１次転写ローラ３２にのみ１次転写バイアスを印加する場合に比べて、均一な１次転写電界を形成することができ、感光体ドラム（像担持体）１上のトナー像を中間転写ベルト３１上に良好に１次転写できる。このプリンタでは、中間転写ベルト上に１次転写されたトナー像は、２次転写ローラ３６との対向領域（２次転写領域）を通過した後、再度その２次転写領域に進入したときに、定電流制御又は定電圧制御された２次転写電源（２次転写バイアス印加手段）３７から印加される２次転写バイアスにより、転写紙９０上に２次転写される。
【０００４】
ここで、良好な画像を形成できる２次転写中の転写性を得るためには、２次転写領域における中間転写ベルト３１部分の表面と２次転写ローラ３６との間の電位差をある程度高く（例えば−３００Ｖ）維持する必要があり、かつ、これらの間を流れる電流量をある程度多く（例えば−３０μＡ）維持する必要がある。１次転写終了後においても１次転写電源３５によるバイアス印加を継続し、２次転写対向ローラ３３の電位を１次転写バイアス相当に維持した場合、２次転写領域における中間転写ベルト３１の表面電位は、その１次転写バイアス近傍の値すなわち−２２０Ｖ程度となる。この場合、２次転写電源３７は、例えば−５２０Ｖという高い電圧を印加しなければならず、電力消費が大きいものとなる。一方で、図４に示すプリンタでは、中間転写ベルト３１上におけるトナー像の２次転写が開始されるときには、そのトナー像の１次転写は終了しているので、２次転写前に１次転写電源３５によるバイアス印加を停止させることができる。この場合、２次転写対向ローラ３３は、１次転写電源３５から１次転写バイアスが印加されていないので、１次転写バイアス印加時よりも２次転写対向ローラ３３の電位は０Ｖに近づき、中間転写ベルト３１の表面電位も０Ｖに近づく。この結果、１次転写電源の無駄な電力消費を抑え、かつ、２次転写電源の消費電力の低減を図ることが可能となる。
【０００５】
【発明が解決しようとする課題】
ところが、１次転写電源３５には、１次転写バイアス印加停止中に、その電源部に電流が流れるのを防止するための抵抗素子３５ｂが内蔵されているものがある。この抵抗素子３５ｂは、例えば１１ＭΩと比較的高い抵抗値をもち、バイアス印加停止中に電源部３５ａに流れるおそれがある逆方向電流を逃がすため、電源部３５ａの出力端子は、この抵抗素子３５ｂを介してグランドに接続されている。また、図示の例のプリンタでは、均一な１次転写電界を形成するため、２次転写対向ローラ３３にも１次転写電源３５が接続されている。この構成において、中間転写ベルト３１の体積抵抗率が比較的高い場合、２次転写中すなわち２次転写バイアスの印加中に、２次転写ローラ３６にマイナス極性のバイアスを印加する２次転写電源３７により流れる電流は、グランド→抵抗素子３５ｂ→２次転写対向ローラ３３→中間転写ベルト３１→転写紙９０→２次転写ローラ３６→２次転写電源３７という経路で流れることになる。このため、２次転写電源３７が例えば−３０μＡの定電流を流す定電流制御されたものである場合、その定電流（−３０μＡ）が１１ＭΩの抵抗素子３５ｂを流れる。よって、２次転写対向ローラ３３の電位は−３０μＡ×１１ＭΩ＝−３３０Ｖとなり、中間転写ベルト３１の表面電位もこれとほぼ同様の値をとることになる。
【０００６】
この場合、２次転写電源３７が定電流制御されているので、２次転写時に十分な転写性を得ることができる電流量は確保されている。しかし、２次転写時に十分な転写性を得ることができる電位差を確保するためには、中間転写ベルト３１の表面電位である−３３０Ｖよりも更に低い−６３０Ｖの電圧を２次転写電源３７から印加しなければならない。よって、２次転写電源３７は、このように大きな電圧を印加しなければならず、多くの電力が消費されるという問題が生じる。
【０００７】
また、良好な画像を形成できる２次転写の転写性を得るためには、２次転写領域における中間転写ベルト３１部分の表面と２次転写ローラ３６との間を流れる電流及びこれらの間の電位差が、２次転写中に大きく変化しないのが望ましい。しかし、２次転写中では、画像の面積や濃度によって、２次転写ローラ３６と中間転写ベルト３１との間の抵抗値が変わるので、定電流制御された２次転写電源３７では、その抵抗値の変化により、中間転写ベルト３１の表面電位が変化することになる。よって、２次転写中に２次転写ローラ３６と中間転写ベルト３１との間の電位差が大きく変化することになり、転写性が低下するという問題が生じる。
【０００８】
このような問題は、定電圧制御された２次転写電源を用いた場合でも同様に生じ得るものである。また、このような問題は、上記抵抗素子３５ｂを内蔵する１次転写電源３５が２次転写対向ローラ３３に接続された構成に限らず、例えば、２次転写電源３７により流れる電流がグランドから中間転写ベルト３１中をその周方向に流れて２次転写電源３７に流れ込むような構成であっても同様に生じ得る。すなわち、２次転写電源３７により電流が流れることで２次転写ローラ３６と対向する中間転写ベルト３１部分の表面電位を変化させるような比較的抵抗値の高い抵抗部材を介して、２次転写領域における中間転写ベルト３１部分がグランドに接続されている場合にも同様に生じ得るものである。
【０００９】
本発明は、以上の問題に鑑みなされたものであり、その目的とするところは、電力消費を抑えつつ、２次転写領域の中間転写体部分の表面と２次転写部材との間を流れる電流及びこれらの間の電位差が２次転写中に大きく変化するのを抑制して良好な画像を形成することができる画像形成装置を提供することである。
【００１０】
【課題を解決するための手段】
上記目的を達成するために、請求項１の発明は、トナー像を担持する像担持体と、上記像担持体上のトナー像が表面に転写される中間転写体と、上記中間転写体の表面に転写材を介して対向する２次転写部材と、上記中間転写体における上記像担持体との対向部分に、該像担持体上のトナー像を該中間転写体上に１次転写させるための１次転写バイアスを印加する１次転写バイアス印加手段と、上記中間転写体上のトナー像を上記転写材上に２次転写させるため、上記２次転写部材に、定電流制御された２次転写バイアスを印加する２次転写バイアス印加手段とを有し、上記２次転写バイアス印加手段により電流が流れることで上記２次転写部材と対向する中間転写体部分の表面電位を変化させるような抵抗値をもつ抵抗部材を介して、該中間転写体部分がグランドに接続されている画像形成装置において、上記中間転写体上へのトナー像の１次転写を終了した後であって、上記転写材への２次転写を開始する前に、上記１次転写バイアス印加手段のバイアス印加を停止させるバイアス印加停止手段を備え、上記２次転写バイアス印加手段から２次転写バイアスを出力するための極性の異なる２つの出力端子の一方を、上記中間転写体を介して上記２次転写部材に対向し、上記抵抗部材が接続された２次転写対向部材に接続し、他方を、上記２次転写部材に接続したことを特徴とするものである。
この画像形成装置においては、像担持体上のトナー像を、１次転写バイアス印加手段による１次転写バイアスにより中間転写体上に１次転写し、その中間転写体上のトナー像を、更に、２次転写バイアス印加手段による定電流制御された２次転写バイアスにより転写材上に２次転写する。また、本画像形成装置においては、中間転写体上へのトナー像の１次転写が終了した後であって転写材への２次転写を開始する前に、バイアス印加停止手段により、１次転写バイアス印加手段のバイアス印加が停止される。よって、１次転写バイアスを印加したまま２次転写を行う場合に比べて、１次転写バイアス印加手段の無駄な電力消費を抑えることができる。また、１次転写バイアスを印加したまま２次転写を行う場合に比べて、２次転写部材と対向する中間転写体部分の表面電位は０Ｖに近づくので、２次転写バイアス印加手段により印加すべき電圧を小さくでき、２次転写バイアス印加手段の電力消費も抑えることができる。
ここで、本画像形成装置においては、２次転写バイアス印加手段により電流が流れることで上記中間転写体部分の表面電位を変化させるような抵抗値をもつ抵抗部材を介して、その中間転写体部分がグランドに接続されている。この抵抗部材としては、例えば、上述した１次転写電源の内蔵抵抗である。このような抵抗部材に２次転写バイアス印加手段による電流が流れると、上述したように、中間転写体部分の表面電位が変動して、転写性が低下することになる。そこで、本画像形成装置においては、上記２次転写バイアス印加手段から２次転写バイアスを出力するための極性の異なる２つの出力端子の一方を、上記中間転写体を介して上記２次転写部材に対向し、上記抵抗部材が接続された２次転写対向部材に接続し、他方を、上記２次転写部材に接続したことにより、２次転写バイアス印加手段のバイアス印加中であって１次転写バイアス印加手段のバイアス印加が停止している期間中、その２次転写バイアス印加手段により流れる電流が上記抵抗部材に流れるのを抑制し、その電流がその抵抗部材に流れる場合に比べて中間転写体部分の表面電位の変動を低減している。このように中間転写体部分の表面電位の変動を低減できるので、上記中間転写体部分が上記抵抗部材を介してグランドに接続されていても、転写性の低下を防止し、良好な画像を得ることが可能となる。
また、請求項２の発明は、トナー像を担持する像担持体と、上記像担持体上のトナー像が表面に転写される中間転写体と、上記中間転写体の表面に転写材を介して対向する２次転写部材と、上記中間転写体における上記像担持体との対向部分に、該像担持体上のトナー像を該中間転写体上に１次転写させるための１次転写バイアスを印加する１次転写バイアス印加手段と、上記中間転写体上のトナー像を上記転写材上に２次転写させるため、上記２次転写部材に、定電圧制御された２次転写バイアスを印加する２次転写バイアス印加手段とを有し、上記２次転写バイアス印加手段により電流が流れることで上記２次転写部材と対向する中間転写体部分の表面電位を変動させるような抵抗値をもつ抵抗部材を介して、該中間転写体部分がグランドに接続されている画像形成装置において、上記中間転写体上へのトナー像の１次転写を終了した後であって、上記転写材への２次転写を開始する前に、上記１次転写バイアス印加手段のバイアス印加を停止させるバイアス印加停止手段を備え、上記２次転写バイアス印加手段から２次転写バイアスを出力するための極性の異なる２つの出力端子の一方を、上記中間転写体を介して上記２次転写部材に対向し、上記抵抗部材が接続された２次転写対向部材に接続し、他方を、上記２次転写部材に接続したことを特徴とするものである。
この画像形成装置においては、請求項１の画像形成装置の定電流制御の場合と同様に、１次転写バイアス印加手段及び２次転写バイアス印加手段の電力消費を抑えることができる。また、請求項１の画像形成装置の定電流制御の場合と同様に、上記中間転写体部分の表面電位の変動を低減できるので、上記中間転写体部分が上記抵抗部材を介してグランドに接続されていても、転写性の低下を防止し、良好な画像を得ることが可能となる。
【００１１】
【発明の実施の形態】
〔実施形態１〕
以下、本発明を、画像形成装置である電子写真方式の液体現像剤を用いたプリンタ（以下、単にプリンタという）に適用した一実施形態（以下、本実施形態を「実施形態１」という。）について説明する。本実施形態では、トナーがプラス極性の場合を例に挙げて説明する。
【００１２】
まず、このプリンタの基本的な構成について説明する。
図１は、本実施形態に係るプリンタの要部の概略構成図である。図示のように、このプリンタは、像担持体としての感光体ドラム１の周りに、帯電器２０、露光Ｌを感光体ドラム１に照射する図示しない露光装置及び液体現像装置６０、並びに、中間転写体としての中間転写ベルト３１、１次転写ローラ３２及び２次転写部材としての２次転写ローラ１００等によって構成される転写装置、除電ランプ４０、ドラムクリーニング装置５０などを備えている。
【００１３】
感光体ドラム１は、その表面がアモルファスシリコン（ａ−Ｓｉ）によって形成され、プリント時には図示しない駆動手段によって図中矢印方向に回転駆動する。また、帯電器２０は、回転駆動する感光体ドラム１の表面をコロナ放電によって暗中にて一様に帯電せしめる。本実施形態においては、６００Ｖ程度に帯電させるようにしている。なお、帯電器２０としては、このようにコロナ放電による帯電を実現するものの他、感光体ドラム１に接触せしめた帯電ローラ等の帯電部材に所定の帯電バイアスを印加する方式のものを用いてもよい。また、露光装置は、走査光学系を備えており、帯電器２０によって一様に帯電した感光体ドラム１の表面を、画像情報に基づいてＬＥＤ光やレーザ光によって画像データ光像Ｌを露光して静電潜像を担持させる。
【００１４】
また、液体現像装置（以下、単に「現像装置」という。）６０は、感光体ドラム１上の静電潜像に、プラス極性に帯電されたトナーを付着させてこれを現像する。これによって感光体ドラム１上にはトナー像が形成される。この現像装置６０は、現像部６１とスイープ部７１とから構成されている。現像部６１は、タンク部６２、一対の攪拌スクリュー６３ａ，６３ｂ、アニロクスローラ６４、ドクターブレード６５、現像ローラ６６、クリーニングブレード６７、帰還部６８、現像前トナー圧縮部材としての現像前セットローラ６９、この現像前セットローラ６９用のクリーニングブレード７０等を備えている。このクリーニングブレード７０は、必ずしも必要ではない。また、スイープ部７１は、スイープローラ７２、クリーニングブレード７３、キャリア回収装置等を備えている。
【００１５】
タンク部６２には、トナーと液体キャリアとを含有する液体現像剤８０が貯留されている。この液体現像剤８０は、一般の液体現像装置に広く用いられている低粘性低濃度のものではなく、高粘性高濃度のものが使用されている。なお、この低粘性低濃度の液体現像剤とは、例えば、広く市場に出回っているＩｓｏｐａｒ（商品名：エクソン社製）と呼ばれる絶縁性液体キャリア中に、１［ｗｔ％］程度の濃度のトナーを含有する１［ｍＰａ・ｓ］程度の粘度の液体現像剤である。また、高粘性高濃度の液体現像剤とは、例えば、シリコンオイル、ノルマルパラフィン、ＩｓｏｐａｒＭ（商品名：エクソン社製）、植物油、鉱物油等の絶縁性液体キャリア中に、５〜３０［ｗｔ％］程度の濃度のトナーを含有する５０〜１００００［ｍＰａ・ｓ］程度の粘度の液体現像剤である。現像装置６０に使用される高粘性高濃度の液体現像剤８０の揮発性あるいは不揮発性については、現像装置６０の現像性能やプリンタの作像性能などに合わせて調整される。また、液体現像剤８０中のトナーの粒径についても、これら現像性能や作像性能などに合わせてサブミクロンから６［μｍ］程度までの範囲で調整される。
【００１６】
転写装置は、図１に示すように、中間転写ベルト３１と、これを張架する１次転写ローラ３２、２次転写対向ローラ３３及び駆動ローラ３４等と、１次転写ローラ３２及びその両側に配置される２次転写対向ローラ３３及び駆動ローラ３４にトナーの帯電極性とは逆極性すなわちマイナス極性の１次転写バイアスを印加する１次転写電源３５等を備えている。本実施形態では、１次転写バイアスとして、−２２０Ｖが印加されている。また、転写装置は、中間転写ベルト３１を介して２次転写対向ローラ３３と対向する２次転写ローラ３６と、２次転写ローラ３６にトナーの帯電極性とは逆極性すなわちマイナス極性であって、上記１次転写バイアスよりも低い２次転写バイアスを印加する２次転写バイアス印加手段としての２次転写電源３７等を備えている。本実施形態では、２次転写バイアスとして、−３００Ｖが印加されている。
【００１７】
上記中間転写ベルト３１は、プリント時には、図中矢印方向に無端移動する。この中間転写ベルト３１は、ポリウレタンにカーボンブラックを混入して、体積抵抗率を１０8〜１０12Ω・ｃｍにした厚さ２．５ｍｍの無端ベルト材料を使用している。この範囲であれば、中間転写ベルト３１に、２次転写時の電位履歴や感光体ドラム１の表面電位による電位履歴が残りにくい。また、２次転写時に２次転写ローラ３６から印加される２次転写バイアスを、中間転写ベルト３１を介して２次転写対向ローラ３３に十分に伝えることができる。尚、中間転写ベルト３１の代わりに、金属ドラムの周面に上記中間転写ベルト３１と同様の材料を設けたドラム状の中間転写ドラムなどを利用することもできる。
【００１８】
本実施形態では、中間転写ベルト３１を１次転写ローラ３２によって感光体ドラム１に向けて押圧して転写ニップをしている。この転写ニップには、１次転写電源３５から１次転写バイアスが印加される１次転写ローラ３２と感光体ドラム１の表面との電位差によって１次転写電界が形成される。尚、１次転写ローラ３２だけでなく、その両側に配置される２次転写対向ローラ３３及び駆動ローラ３４にも１次転写バイアスを印加することで、その転写ニップに均一な１次転写電界の形成を実現している。
【００１９】
感光体ドラム１の回転に伴って転写ニップに進入した感光体ドラム１上のトナー像は、１次転写電界や転写ニップの圧力の作用を受けて、中間転写ベルト３１上に１次転写される。尚、除電ランプ４０は、転写ニップを通過した感光体ドラム１の表面の残留電荷を除電する。また、ドラムクリーニング装置５０は、除電ランプ４０によって除電された感光体ドラム１の表面に残留している液体現像剤を、クリーニングブレード５１によって掻き取り除去する。この除去により、感光体ドラム１の表面は初期化せしめられ、次の作像を実現することが可能になる。
【００２０】
１次転写されたトナー像は、中間転写ベルト３１の回転に伴って２次転写ローラ３６の対向領域（２次転写領域）に進入するが、本実施形態では、そのトナー像は、一度２次転写領域を通過した後、再度その２次転写領域に進入するときに、所定のタイミングで搬送される転写材としての転写紙９０上に２次転写される。このとき、その転写紙９０を２次転写ローラ３６によって中間転写ベルト３１に向けて押圧して転写ニップをしている。この転写ニップには、２次転写電源３７から２次転写バイアスが印加される２次転写ローラ３６と中間転写ベルト３１の表面との電位差によって２次転写電界が形成される。ここで、２次転写電源３７は、定電流制御されたものであり、その転写ニップには、例えば−３０μＡという一定量の電流が流れ込むように制御されている。
【００２１】
上記２次転写ローラ３６は、金属製芯材の周面に、体積抵抗率が１０3〜１０12Ω・ｃｍ程度の導電性を有する弾性体を被覆したものである。ここで、この導電性弾性体層の体積抵抗率が１０3Ω・ｃｍよりも低いと、トナーが付着していない中間転写ベルト３１部分で電流リークが発生し、適正な２次転写電界が形成されないという問題が生じる。また、その導電性弾性体層の体積抵抗率が１０12Ω・ｃｍよりも高いと、効率的に２次転写電界を形成することが困難となり、また、周囲の環境変動等により導電性弾性体層の抵抗変動が生じたときの転写性能の変化が大きくなる結果、良好な画像を安定して得ることができないという問題が生じる。
【００２２】
尚、２次転写ローラ３６の表面は、そのクリーニング性を向上させるために、滑らかであるのが望ましい。しかし、一般に、硬度が低いほどその表面を滑らかにするのは困難であるので、２次転写ローラ３６の導電性弾性体層の表面に、表面粗さの滑らかな樹脂フィルムを被覆するのが好ましい。特に、ＰＦＡ（テトラフルオロエチレンパーフルオロアルキルビニールエーテル）のようなフッ化樹脂であれば、離型性もよく、より好ましい。
【００２３】
中間転写ベルト３１の回転に伴って、一度２次転写領域を通過した後、再度その２次転写領域に進入した中間転写ベルト３１上のトナー像は、２次転写電界や転写ニップの圧力の作用を受けて、転写紙９０上に２次転写される。そして、その転写紙９０上のトナーは、加熱加圧定着、溶剤定着、ＵＶ定着等の定着方式を用いる図示しない定着装置によって定着され、その定着装置から排紙経路を経て機外へと排出される。
【００２４】
次に、本発明の特徴部分である２次転写に関わる部材の構成及び動作について説明する。
上記１次転写電源３５は、この１次転写電源３５の出力先から逆方向に流れる電流を１次転写バイアス印加手段としての電源部３５ａから逃がすため、抵抗素子としての１１ＭΩの内蔵抵抗３５ｂを有し、この内蔵抵抗３５ｂを介してグランドに接続されている。このため、１次転写電源３５がＯＦＦになると、中間転写ベルト３１における２次転写領域の部分は、グランドから電気的に浮いた状態に近いものとなる。ここで、本実施形態におけるプリンタでは、消費電力を低減するため、図示しない制御部がバイアス印加制御手段及びバイアス印加停止手段として機能し、２次転写中、１次転写電源３５をＯＦＦの状態にし、１次転写電源３５のバイアス印加を停止している。このままでは、定電流制御された２次転写電源３７による電流（−３０μＡ）は、グランドから１次転写電源３５の内蔵抵抗３５ｂを通って２次転写対向ローラ３３に流れ込むことになる。この場合、２次転写対向ローラ３３の電位は−３３０Ｖとなり、良好な２次転写を行うためには、２次転写電源３７の出力電圧を６３０Ｖにしなければならない。よって、２次転写電源３７には、大きな出力電圧をもつ消費電力の大きい電源を使用しなければならない。また、画像の面積や濃度により２次転写ローラ３６と中間転写ベルト３１との間の抵抗値が変化すると上記電流（−３０μＡ）も多少変動するが、その変動量が微少であっても、内蔵抵抗３５ｂの抵抗値が１１ＭΩと非常に高いので、その電流の変動よる２次転写対向ローラ３３の電位変動も大きい。このため、上記電流の変動が転写電界に与える影響が大きく、転写性の低下を招くことになる。
【００２５】
そこで、本実施形態では、電位変動抑制手段を構成する２次転写電源３７のマイナス側端子を２次転写ローラ３６に接続し、その２次転写電源３７のプラス側端子を２次転写対向ローラ３３に接続している。これにより、１次転写電源３５がＯＦＦの状態とした後、２次転写を開始するときに、図示しない制御部が電位変動抑制手段を構成し、２次転写電源３７をＯＮ状態にする。これにより、２次転写対向ローラ３３の電位は０Ｖとなり、２次転写対向ローラ３３と２次転写ローラ３６との間の電位差は、２次転写電源３７の出力電圧に等しくなる。
【００２６】
〔参考例〕
次に、参考例について説明する。尚、参考例に係るプリンタは、１次転写電源３５の部分及び２次転写電源３７の部分における構成が異なる以外、上記実施形態１と同様の構成を有するので、以下、その異なる構成部分についてのみ説明する。
【００２７】
図２は、参考例に係るプリンタの要部の概略構成図である。このプリンタの１次転写電源３５には、これと並列に、電位変動抑制手段を構成する１ｋΩの電流制限抵抗１３８が接続されている。この電流制限抵抗１３８は、電位変動抑制手段を構成する切換手段としてのリレー１３９を介してグランドに接続されている。このリレー１３９は、図示しない切換動作制御手段としての制御部により、１次転写電源３５がＯＦＦの状態のとき、その接点を閉じ、２次転写対向ローラ３３に接続される１次転写電源３５の出力端子を、電流制限抵抗１３８を介してグランドに接続するように動作する。また、１次転写電源３５がＯＮの状態のときには、リレー１３９の接点は開放され、電流制限抵抗１３８は、１次転写電源３５の出力端子から電気的に切り離される。
【００２８】
２次転写中すなわち２次転写バイアスの印加中、１次転写電源３５はＯＦＦの状態であるので、定電流制御された２次転写電源３７による定電流（−３０μＡ）が１次転写電源３５側から２次転写対向ローラ３３に向かって流れ込むことになる。このとき、リレー１３９の接点は閉じているので、その定電流（−３０μＡ）は、１次転写電源３５における１ＭΩの内蔵抵抗３５ｂではなく、その内蔵抵抗３５ｂよりも抵抗値がずっと小さい１ｋΩの電流制限抵抗１３８を通って、グランドから流れ込むことになる。よって、２次転写対向ローラ３３の電位は−３３ｍＶとなり、電流制限抵抗１３８がない場合に比べて、良好な２次転写を行うのに必要な２次転写電源３７の出力電圧を低く抑えることができる。
【００２９】
図３は、１次転写電源３５のＯＮ／ＯＦＦ動作に対するリレー１３９の接点の開閉動作のタイミングを示すタイミングチャートである。本実施形態では、１次転写電源３５をＯＦＦにした後、２次転写対向ローラ３３の電位が約−７０Ｖ程度になるタイミングで、リレー１３９の接点を閉じる。具体的には、１次転写電源３５をＯＦＦにしてから約１０ｍｓｅｃ後にリレー１３９の接点を閉じるようになっている。また、上記制御部は、リレーに対して接点を開放させるための制御信号が出力された後、約２５ｍｓｅｃ後に１次転写電源３５をＯＮにする制御信号を出力する。
【００３０】
以上、実施形態１における画像形成装置としてのプリンタは、トナー像を担持する像担持体としての感光体ドラム１と、その感光体ドラム１上のトナー像が表面に転写される中間転写体としての中間転写ベルト３１と、その中間転写ベルト３１の表面に転写材としての転写紙９０を介して対向する２次転写部材としての２次転写ローラ３６と、上記中間転写ベルト３１における上記感光体ドラム１との対向部分及び上記２次転写ローラ３６との対向部分に、該感光体ドラム１上のトナー像を該中間転写ベルト３１上に１次転写させるための１次転写バイアスを印加する１次転写バイアス印加手段としての１次転写電源３５の電源部３５ａと、上記中間転写ベルト３１上のトナー像を上記転写紙９０上に２次転写させるため、上記２次転写ローラ３６に、定電流制御された２次転写バイアスを印加する２次転写バイアス印加手段としての２次転写電源３７とを有し、２次転写電源３７による電流が流れることで２次転写ローラ３６と対向する中間転写ベルト部分の表面電位を変化させるような抵抗値をもつ１次転写電源３５の内蔵抵抗３５ｂを介して、その中間転写ベルト部分がグランドに接続されている。そして、上記中間転写ベルト３１上へのトナー像の１次転写を終了した後であって、上記転写紙９０への２次転写を開始する前に、上記１次転写電源３５の電源部３５ａのバイアス印加を停止させるバイアス印加停止手段としての制御部と、上記２次転写電源３７のバイアス印加中であって上記１次転写電源３５のバイアス印加が停止している期間中、その２次転写電源３７により流れる電流がその１次転写電源３５の内蔵抵抗３５ｂに流れるのを抑制し、その電流がその内蔵抵抗３５ｂに流れる場合に比べて上記中間転写ベルト部分の表面電位の変動を低減する電位変動抑制手段を有している。上記実施形態１では、マイナス側端子が２次転写ローラ３６に、プラス側端子が２次転写対向ローラ３３にそれぞれ接続された２次転写電源３７が電位変動抑制手段として機能している。また、上記参考例では、電流制限抵抗１３８及びリレー１３９が電位変動抑制手段として機能している。このような構成によれば、１次転写電源３５及び２次転写電源３７の電力消費を抑えることができるとともに、２次転写領域における中間転写ベルト部分の表面電位の変動を低減でき、転写性の低下を防止し、良好な画像を得ることが可能となる。
尚、２次転写電源３７により印加される２次転写バイアスが定電圧制御されている場合であっても、定電流制御の場合と同様の効果を得ることができる。
また、上記参考例におけるプリンタは、上記２次転写電源３７から２次転写バイアスを出力するための極性の異なる２つの出力端子の一方を、上記中間転写ベルト部分の表面電位を決定する電気的要素である２次転写対向ローラ３３に接続し、他方を、上記２次転写ローラ３６に接続することで、電位変動抑制手段を構成している。このような構成により、２次転写電源３７の２次転写バイアスにより流れる電流のほとんどは、上記抵抗部材である内蔵抵抗３５ｂを流れることなく、２次転写対向ローラ３３、中間転写ベルト３１、転写紙９０及び２次転写ローラ３６を通ることになる。よって、２次転写電源３７の出力電圧が中間転写ベルト表面と２次転写ローラ３６との間の電位差となり、良好な画像を形成できる２次転写時の転写性を得るための電位差を、最小の出力電圧で実現することができる。
また、上記参考例におけるプリンタは、上記電気的要素である２次転写対向ローラ３３をグランドに電気的に接続させるＯＮ状態と、その２次転写対向ローラ３３をグランドから電気的に離間させるＯＦＦ状態とを切り換える切換手段としてのリレー１３９と、上記１次転写電源３５のバイアス印加中にはリレー１３９をＯＦＦ状態とし、その１次転写電源３５のバイアス印加停止中にはリレー１３９をＯＮ状態とするように、リレー１３９の切換動作を制御する切換動作制御手段としての図示しない制御部により、上記電位変動抑制手段が構成されている。このような構成により、電源部３５ａのバイアス印加停止時にリレー１３９をＯＮ状態にすると、２次転写バイアスによる電流は、内蔵抵抗３５ｂがもつ１ＭΩという抵抗値よりもずっと低い１ｋΩの抵抗値をもつ電流制限抵抗１３８に流れ込むことになる。このとき、中間転写ベルト３１部分の表面電位は、電流制限抵抗１３８を流れる電流値によって決まるので、２次転写電源３７により流れる電流が変動したとしても、中間転写ベルト３１部分の表面電位の変動は、その電流が内蔵抵抗３５ｂを流れる場合に比べてずっと小さいものとなる。また、２次転写電源３７の消費電力を抑えるため、２次転写領域における中間転写ベルト３１部分の表面電位を０Ｖに近づけるには、その電流制限抵抗１３８の抵抗値を上記内蔵抵抗３５ｂのの抵抗値よりもずっと小さい値に設定する。具体的には、電流制限抵抗１３８の抵抗値を１ＭΩ以下とすれば、電力消費を十分に抑えることができる。尚、電源部３５ａのバイアス印加中にはリレー１３９をＯＦＦ状態にするので、上記電流制限抵抗１３８は、２次転写対向ローラ３３から電気的に離間し、１次転写に影響を与えることはない。
また、上記参考例におけるプリンタでは、上記切換手段として、２次転写対向ローラ３３とグランドとの間に接続されるリレーを用いているので、電流制限抵抗１３８と２次転写対向ローラ３３との電気的な接続状態を簡単な構成で切り換えることができる。
また、上記参考例におけるプリンタでは、２次転写対向ローラ３３とリレー１３９との間に、そのリレー１３９の接点に大電流が流れるのを制限するための電流制限素子としての電流制限抵抗１３８が設けられているので、リレー１３９の接点に大電流が流れて、リレー１３９の接点が焼損するのを抑制することができる。
また、上記参考例におけるプリンタにおいて、切換動作制御手段として機能する制御部は、上記１次転写電源３５の電源部３５ａのバイアス印加停止時から所定期間経過後に、上記リレー１３９をＯＮ状態にする。１次転写電源３５のバイアス印加を停止しても、その出力端子の電位は中間転写ベルト３１の体積抵抗率等の関係で０Ｖに近づくスピードが比較的遅いが、上記構成によれば、上記１次転写電源３５ａのバイアス印加を停止してから、その出力端子がある程度０Ｖに近づいた状態で、その出力端子に電流制限抵抗１３８を電気的に接続することができる。よって、リレー１３９の接点に大きな電流が流れるのを防止することができる。
また、バイアス印加制御手段として機能する図示しない制御部は、上記電源部３５ａのバイアス印加動作を制御し、上記リレー１３９をＯＦＦ状態にするための制御信号が上記切換動作制御手段として機能する制御部から出力されてから所定期間経過後に、上記電源部３５ａに１次転写バイアスを印加させるための制御信号を該電源部３５ａに出力する。これにより、制御部からリレー１３９をＯＦＦ状態にするための制御信号がそのリレー１３９に入力されてから、そのリレー１３９が完全にＯＦＦ状態、すなわち、電源部３５ａの出力端子から電流制限抵抗１３８が完全に電気的に離間した状態になるまでの間に、ある程度のタイムラグが生じる。このため、リレー１３９の切換動作スピードが電源部３５ａのＯＮ／ＯＦＦ動作スピードよりも遅い場合でも、リレー１３９にＯＦＦ状態の制御信号を出力するのと同時に又は出力した直後に、電源部３５ａに１次転写バイアスを印加させるための制御信号を出力すると、リレー１３９の切換動作中に、そのリレー１３９に高い電圧が加わることになる。そこで、本画像形成装置においては、リレー１３９をＯＦＦ状態にするための制御信号が制御部から出力されてから所定期間経過後に、電源部３５ａに１次転写バイアスを印加させるための制御信号を電源部３５ａに出力する。これにより、リレー１３９に高い電圧が加わることが少なくなる。
また、上記実施形態１及び参考例における感光体ドラム１は、アモルファスシリコン系感光体であるので、中間転写ベルト３１との加圧当接や１次転写電圧異常時による損傷などによる感光体ドラム１の劣化を効果的に抑制することができる。また、キャリア液中にトナーを分散した液体現像材を用いる場合には、その液体現像剤による膨潤や劣化なども効果的に抑制することができる。よって、感光体ドラム１の長寿命化を図ることができる。
【００３１】
【発明の効果】
本発明によれば、１次転写バイアス印加手段及び２次転写バイアス印加手段の電力消費を抑えつつ、２次転写領域の中間転写体部分の表面と２次転写部材との間を流れる電流及びこれらの間の電位差が２次転写中に大きく変化するのを抑制して良好な画像を形成することができるという優れた効果がある。
【図面の簡単な説明】
【図１】  実施形態１に係るプリンタの要部の概略構成図。
【図２】  参考例に係るプリンタの要部の概略構成図。
【図３】  同プリンタにおける１次転写電源のＯＮ／ＯＦＦ動作に対するリレーの接点の開閉動作のタイミングを示すタイミングチャート。
【図４】  従来の中間転写ベルト３１を用いたプリンタの一例を示す概略構成図。
【図１】
0004810025.tif 000002
【図２】
0004810025.tif 000003
【図３】
0004810025.tif 000004
【図４】
0004810025.tif 000005